(57)【要約】【課題】簡易な手段で撮像素子の温度を測定する。【解決手段】光電変換により画像情報を取得可能な撮像素子アレイ１と、撮像素子アレイ１からの信号電荷を増幅して読み出す増幅器２と、増幅器２からの出力をデジタル変換するＡ／Ｄ変換器３と、Ａ／Ｄ変換器３からのデジタルデータから、白点画素数の温度依存性を用いて温度を検出する温度算出部４とを備えた撮像モジュール１０において、得られる暗時撮像信号のデジタルデータから、指定したデジタル値以上の画素数をカウントし、カウント値に基づいて温度を測定する。【選択図】図１
2010141738.tif 000002
【特許請求の範囲】
【請求項１】
入射光を光電変換して信号電荷を生成する複数の受光部が設けられた撮像素子アレイと、
該複数の受光部からの各信号電荷をそれぞれ増幅して撮像信号をそれぞれ出力する増幅部と、
該撮像信号をデジタル変換してデジタルデータを出力するＡ／Ｄ変換部と、
該デジタルデータから白点画素数または、該白点画素数の温度依存性から温度を求める白点画素数または温度獲得部とを有する撮像装置。
【請求項２】
前記白点画素数または温度獲得部は、
暗時撮像時に前記デジタルデータのうちの所定の閾値以上の画素出力レベルを前記白点画素数としてカウントするカウンタ部と、
該カウンタ部からのカウント値を該白点画素数の温度依存性から温度に換算する演算部とを有する請求項１に記載の撮像装置。
【請求項３】
前記白点画素数または温度獲得部は、
暗時撮像時に前記デジタルデータのうちの所定の閾値以上の画素出力レベルを前記白点画素数としてカウントするカウンタ部を有する請求項１に記載の撮像装置。
【請求項４】
前記カウンタ部は、前記デジタルデータのうち、前記白点画素の閾値として指定されたデジタル値以上のデジタル値を有する画素毎のデジタルデータをカウントする請求項２または３に記載の撮像装置。
【請求項５】
前記演算部は、前記カウンタ部からのカウント値を温度に換算するための数式または温度換算テーブルを有し、該数式または温度換算テーブルを用いて前記カウンタ部からのカウント値を温度に換算する請求項２に記載の撮像装置。
【請求項６】
前記閾値は、ある特定温度における撮像素子のデジタル出力値と各デジタル出力値を持つ撮像素子数とのいずれかまたは双方に基づいて決定される請求項２〜４のいずれかに記載の撮像装置。
【請求項７】
前記閾値は、予め定められる定数である請求項２または３に記載の撮像装置。
【請求項８】
前記撮像素子アレイは、ＣＣＤ型撮像素子アレイまたはＭＯＳ型撮像素子アレイである請求項１に記載の撮像装置。
【請求項９】
前記白点画素数または温度獲得部で求められた温度または白点画素数に基づいて、前記デジタルデータの補正を行う画像処理装置をさらに有する請求項１に記載の撮像装置。
【請求項１０】
前記白点画素数または温度獲得部で求められた温度または白点画素数に基づいて、前記撮像素子アレイ、増幅部およびＡ／Ｄ変換部の少なくともいずれかの駆動を制御する駆動制御部をさらに有する請求項１に記載の撮像装置。
【請求項１１】
前記駆動制御部は、前記白点画素数または温度獲得部で求められた前記温度または白点画素数に基づいて前記増幅部のゲインを制御する請求項１０に記載の撮像装置。
【請求項１２】
前記駆動制御部は、前記白点画素数または温度獲得部で求められた前記温度または白点画素数に基づいて前記撮像素子アレイが信号電荷を蓄積する時間を制御する請求項１０に記載の撮像装置。
【請求項１３】
前記駆動制御部は、前記白点画素数または温度獲得部で求められた前記温度または白点画素数が所定温度以上または所定個数以上である場合、前記白点画素数または温度獲得部で求められた温度または白点画素数が所定温度未満または所定個数未満である場合に比べて前記撮像素子アレイをより低消費電力で駆動する請求項１０に記載の撮像装置。
【請求項１４】
前記駆動制御部は、前記白点画素数または温度獲得部で求められた前記温度または白点画素数が所定温度以上または所定個数以上である場合、前記白点画素数または温度獲得部で求められた温度または白点画素数が所定温度未満または所定個数未満である場合に比べて前記撮像素子アレイが撮像するフレームレートを下げる請求項１０または１３に記載の撮像装置。
【請求項１５】
前記駆動制御部は、前記白点画素数または温度獲得部で求められた前記温度または白点画素数に基づいて前記撮像素子アレイを駆動する駆動電流を制御する請求項１０に記載の撮像装置。
【請求項１６】
前記白点画素数または温度獲得部で求められた前記温度または白点画素数に応じて装置を冷却する冷却部をさらに有する請求項１に記載の撮像装置。
【請求項１７】
前記冷却部は、前記温度または白点画素数が所定値以上の場合にファンにより装置を冷却する請求項１６に記載の撮像装置。
【請求項１８】
請求項１〜１７のいずれかに記載の撮像装置を画像入力デバイスとして撮像部に用いた電子情報機器。
【請求項１９】
撮像素子アレイにより入射光を光電変換して信号電荷を生成する撮像ステップと、
増幅部が該撮像素子アレイからの信号電荷を増幅して撮像信号を出力する増幅ステップと、
Ａ／Ｄ変換部が、該増幅部からの撮像信号をデジタル変換してデジタルデータを出力するＡ／Ｄ変換ステップと、
白点画素数または温度獲得部が該Ａ／Ｄ変換器からの該デジタルデータを用いて温度または白点画素数を求める白点画素数または温度獲得ステップとを有する温度測定方法。
【請求項２０】
請求項１９に記載の温度測定方法の白点画素数または温度獲得ステップをコンピュータに実行させるための制御プログラム。
【請求項２１】
請求項２０に記載の制御プログラムを記録したコンピュータ読み出し可能な可読記録媒体。
【発明の詳細な説明】
【技術分野】
【０００１】
本発明は、被写体からの画像光を光電変換して撮像する半導体素子で構成されたＣＣＤイメージセンサやＭＯＳ型イメージセンサなどの撮像装置、これを用いて素子温度を測定するための温度測定方法、この撮像装置を画像入力デバイスとして撮像部に用いた例えばデジタルビデオカメラおよびデジタルスチルカメラなどのデジタルカメラや、監視カメラなどの画像入力カメラ、スキャナ装置、ファクシミリ装置、テレビジョン電話装置、カメラ付き携帯電話装置などの電子情報機器、この温度測定方法の各ステップをコンピュータに実行させるための制御プログラムおよびこの制御プログラムを記録したコンピュータ読み取り可能な可読記録媒体に関する。
【背景技術】
【０００２】
ＣＣＤイメージセンサやＭＯＳ型イメージセンサなどの従来の撮像装置において、温度の上昇と共に撮像素子から出力される信号に含まれる暗電流が増加してノイズが発生し、画像の劣化を招いている。暗電流とは、入射光がゼロの場合にも、熱雑音に起因して撮像素子から出力される不要な電流成分であって、熱雑音に起因するので、温度が上昇するにつれて増加するという特性を持っている。
【０００３】
そこで、温度センサシステムを撮像素子近傍に設置して温度を測定し、その温度を元に暗電流に起因するノイズを除去する手法やシステムが特許文献１に提供されている。
【０００４】
特許文献１の手法やシステムは、撮像感度を可変できる撮像装置を用いて、固体撮像素子近傍の温度が所定温度より大きい場合に、可変できる撮像感度の範囲を制限している。固体撮像素子近傍の温度を検知するために、固体撮像素子の近傍に温度センサシステムを設けている。これによって、特許文献１の手法やシステムで、暗電流に起因するノイズを低減することができる。
【０００５】
また、撮像素子の温度を測定するのに、撮像素子の暗電流データを元に温度変化を検知する手法やシステムが特許文献２に提案されている。
【０００６】
特許文献２の手法やシステムは、体内に飲み込み可能なカプセル内に画像センサを設け、カプセルを画像センサと共に消化管などの環境内に挿入し、挿入された環境の温度を測定する。この手法やシステムは、画素アレイの画像センサの一部を、常に照明に曝さないようにすれば、照明に曝さない画素から常に暗電流データを取得することができ、照明を切る必要が無くなることが記載されている。画像センサから暗電流データを取り込み、取り込んだ暗電流データから公知の式を用いて画像センサの温度を計算する。この場合には、常に照明に曝されない撮像素子または撮像素子アレイを指定するために常にアドレス指定やエリア指定をしている。
【特許文献１】特開２００５−１７５９６１号公報
【特許文献２】特開２００５−０９５６０２号公報
【発明の開示】
【発明が解決しようとする課題】
【０００７】
しかしながら、特許文献１の手法やシステムでは、別途サーモグラフのような温度センサシステムを撮像素子の近傍に設置するため、撮像素子と空間的ずれが発生することにより測定された撮像素子の温度に誤差が発生するという問題が生じる。
【０００８】
また、特許文献２の手法やシステムでは、温度を計算するために撮像素子アレイの単一の素子または複数の素子、つまりアドレス指定またはエリア指定した特定の撮像素子の暗電流値を測定する必要がある。
【０００９】
本発明は、上記従来の問題を解決するもので、撮像素子とは別に温度センサシステムを設置する必要がなく、また、温度の計算のために撮像素子アレイのアドレス指定やエリア指定をする必要もなく、簡易な手段で撮像素子の温度を測定することができる撮像装置、これを用いた温度測定方法、この撮像装置を画像入力デバイスとして撮像部に用いた例えばカメラ付き携帯電話装置などの電子情報機器、この温度測定方法の各ステップをコンピュータに実行させるための制御プログラムおよびこの制御プログラムを記録したコンピュータ読み取り可能な可読記録媒体を提供することを目的とする。
【課題を解決するための手段】
【００１０】
本発明の撮像装置は、入射光を光電変換して信号電荷を生成する複数の受光部が設けられた撮像素子アレイと、該複数の受光部からの各信号電荷をそれぞれ増幅して撮像信号をそれぞれ出力する増幅部と、該撮像信号をデジタル変換してデジタルデータを出力するＡ／Ｄ変換部と、該デジタルデータから白点画素数または、該白点画素数の温度依存性から温度を求める白点画素数または温度獲得部とを有するものであり、そのことにより上記目的が達成される。
【００１１】
また、好ましくは、本発明の撮像装置における白点画素数または温度獲得部は、暗時撮像時に前記デジタルデータのうちの所定の閾値以上の画素出力レベルを前記白点画素数としてカウントするカウンタ部と、該カウンタ部からのカウント値を該白点画素数の温度依存性から温度に換算する演算部とを有する。
【００１２】
さらに、好ましくは、本発明の撮像装置における白点画素数または温度獲得部は、暗時撮像時に前記デジタルデータのうちの所定の閾値以上の画素出力レベルを前記白点画素数としてカウントするカウンタ部を有する。
【００１３】
さらに、好ましくは、本発明の撮像装置におけるカウンタ部は、前記デジタルデータのうち、前記白点画素の閾値として指定されたデジタル値以上のデジタル値を有する画素毎のデジタルデータをカウントする。
【００１４】
さらに、好ましくは、本発明の撮像装置における演算部は、前記カウンタ部からのカウント値を温度に換算するための数式または温度換算テーブルを有し、該数式または温度換算テーブルを用いて前記カウンタ部からのカウント値を温度に換算する。
【００１５】
さらに、好ましくは、本発明の撮像装置における閾値は、ある特定温度における撮像素子のデジタル出力値と各デジタル出力値を持つ撮像素子数とのいずれかまたは双方に基づいて決定される。
【００１６】
さらに、好ましくは、本発明の撮像装置における閾値は、予め定められる定数である。
【００１７】
さらに、好ましくは、本発明の撮像装置における撮像素子アレイは、ＣＣＤ型撮像素子アレイまたはＭＯＳ型撮像素子アレイである。
【００１８】
さらに、好ましくは、本発明の撮像装置における白点画素数または温度獲得部で求められた温度または白点画素数に基づいて、前記デジタルデータの補正を行う画像処理装置をさらに有する。
【００１９】
さらに、好ましくは、本発明の撮像装置において、前記白点画素数または温度獲得部で求められた温度または白点画素数に基づいて、前記撮像素子アレイ、増幅部およびＡ／Ｄ変換部の少なくともいずれかの駆動を制御する駆動制御部をさらに有する。
【００２０】
さらに、好ましくは、本発明の撮像装置における駆動制御部は、前記白点画素数または温度獲得部で求められた前記温度または白点画素数に基づいて前記増幅部のゲインを制御する。
【００２１】
さらに、好ましくは、本発明の撮像装置における駆動制御部は、前記白点画素数または温度獲得部で求められた前記温度または白点画素数に基づいて前記撮像素子アレイが信号電荷を蓄積する時間を制御する。
【００２２】
さらに、好ましくは、本発明の撮像装置における駆動制御部は、前記白点画素数または温度獲得部で求められた前記温度または白点画素数が所定温度以上または所定個数以上である場合、前記白点画素数または温度獲得部で求められた温度または白点画素数が所定温度未満または所定個数未満である場合に比べて前記撮像素子アレイをより低消費電力で駆動する。
【００２３】
さらに、好ましくは、本発明の撮像装置における駆動制御部は、前記白点画素数または温度獲得部で求められた前記温度または白点画素数が所定温度以上または所定個数以上である場合、前記白点画素数または温度獲得部で求められた温度または白点画素数が所定温度未満または所定個数未満である場合に比べて前記撮像素子アレイが撮像するフレームレートを下げる。
【００２４】
さらに、好ましくは、本発明の撮像装置における駆動制御部は、前記白点画素数または温度獲得部で求められた前記温度または白点画素数に基づいて前記撮像素子アレイを駆動する駆動電流を制御する。
【００２５】
さらに、好ましくは、本発明の撮像装置における白点画素数または温度獲得部で求められた前記温度または白点画素数に応じて装置を冷却する冷却部をさらに有する。
【００２６】
さらに、好ましくは、本発明の撮像装置における冷却部は、前記温度または白点画素数が所定値以上の場合にファンにより装置を冷却する。
【００２７】
本発明の電子情報機器は、本発明の上記撮像装置を画像入力デバイスとして撮像部に用いたものであり、そのことにより上記目的が達成される。
【００２８】
本発明の温度測定方法は、撮像素子アレイにより入射光を光電変換して信号電荷を生成する撮像ステップと、増幅部が該撮像素子アレイからの信号電荷を増幅して撮像信号を出力する増幅ステップと、Ａ／Ｄ変換部が、該増幅部からの撮像信号をデジタル変換してデジタルデータを出力するＡ／Ｄ変換ステップと、白点画素数または温度獲得部が該Ａ／Ｄ変換器からの該デジタルデータを用いて温度または白点画素数を求める白点画素数または温度獲得ステップとを有するものであり、そのことにより上記目的が達成される。
【００２９】
また、好ましくは、本発明の温度測定方法における。
【００３０】
本発明の制御プログラムは、本発明の上記温度測定方法の白点画素数または温度獲得ステップをコンピュータに実行させるためのものであり、そのことにより上記目的が達成される。
【００３１】
本発明の可読記録媒体は、本発明の上記制御プログラムを記録したコンピュータ読み出し可能なものであり、そのことにより上記目的が達成される。
【００３２】
上記構成により、以下、本発明の作用を説明する。
【００３３】
本発明においては、白点画素数または温度獲得部が該Ａ／Ｄ変換部からの該デジタルデータを利用して白点画素数または、白点画素数に依存した温度を求める。このデジタルデータは、撮像素子アレイで撮像され、増幅部で増幅され、Ａ／Ｄ変換器でデジタル変換されて出力される。
【００３４】
このように、白点画素数または温度獲得部は、デジタルデータから白点画素数または、白点画素数に依存した温度を求めるので、簡易なシステムで、撮像素子アレイ内部の素子温度が測定可能となる。
【００３５】
また、本発明においては、白点画素数または温度獲得部は、暗時撮像時にＡ／Ｄ変換部から出力されたデジタルデータの画素出力レベルが所定値以上のデータ数をカウントするカウンタ部と、カウンタ部からのカウント値を利用して温度換算する演算部とを有し、カウント値は、白点画素数に対応する。これによって、簡易なシステム（カウンタ部を追加）で、撮像素子アレイ内部の素子温度を測定することが可能となる。
【００３６】
また、本発明においては、上記求めた温度または白点画素数に基づいて、画像処理装置がＡ／Ｄ変換部から出力されたデジタルデータ（撮像画像）の補正を行う。
【００３７】
これにより、撮像素子アレイの素子温度に応じて最適な撮像画像の補正が可能になり、温度の高低にかかわらず、広い温度範囲で良好な撮像画像を出力することが可能となる。
【００３８】
また、本発明においては、上記求めた温度または白点画素数に基づいて、駆動制御装置が、撮像素子アレイ、増幅部、およびＡ／Ｄ変換部の少なくともいずれかの駆動を制御する。
【００３９】
これにより、撮像素子アレイの素子温度に応じて最適な駆動制御が可能になり、素子温度の高低にかかわらず、広い温度範囲で良好な撮像画像を出力することが可能となる。
【００４０】
また、本発明においては、上記求めた温度または白点画素数に基づいて、ファンなどの冷却部が、撮像装置全体を冷却する。
【００４１】
これにより、更なる温度上昇を低減することができ、良好な撮像画像を出力することが可能となる。
【００４２】
また、上記本発明の撮像装置を電子情報機器に用いることにより、上記本発明の撮像装置から得られる温度データまたは白点画素数を、外部機器の温度データまたは温度に関連するデータとして使用して電子情報機器の性能を良好なものにすることが可能となる。
【発明の効果】
【００４３】
以上により、本発明によれば、白点画素数または温度獲得部が該Ａ／Ｄ変換部からの該デジタルデータを利用して白点画素数または、白点画素数に依存した温度を求めるため、撮像素子とは別に温度センサシステムを設置する必要がなく、また、温度の計算のために撮像素子アレイのアドレス指定やエリア指定をする必要もなく、簡易な手段で撮像素子の温度を測定することができる。
【発明を実施するための最良の形態】
【００４４】
以下に、本発明の撮像装置およびこれを用いる温度測定方法の実施形態１〜４、実施形態５について図面を参照しながら説明する。
【００４５】
（実施形態１）
本実施形態１では、撮像素子アレイの素子温度を測定する撮像装置およびこれを用いる温度測定方法について説明する。
【００４６】
図１は、本発明に係る撮像装置の実施形態１の要部構成例を示すブロック図である。なお、ここで示す撮像素子アレイはＣＣＤイメージセンサである。
【００４７】
図１に示すように、本実施形態１の撮像装置１０は、被写体を撮像するための撮像素子アレイ１と、撮像素子アレイ１からの画素毎の各信号電荷をそれぞれ増幅する増幅部としての増幅器２と、増幅器２からの画素毎の各撮像信号をデジタル信号に変換するＡ／Ｄ変換部としてのＡ／Ｄ変換器３と、Ａ／Ｄ変換器３からのデジタル信号を用いて素子温度を求める温度獲得部としての温度算出部４とを備えている。
【００４８】
撮像素子アレイ１は、被写体からの入射光を光電変換して信号電荷を生成する複数の受光部（複数の画素部）を２次元状で行列方向にマトリクス状に配置している。つまり、撮像素子アレイ１は、複数の画素部が２次元アレイ状に並んだものである。列方向の各受光部（複数の画素部）に隣接して図示していない垂直電荷転送路が列方向に設けられており、各垂直電荷転送路の先端は、図示していない水平電荷転送路に接続されている。
【００４９】
増幅器２は、撮像素子アレイ１の水平電荷転送路から出力された信号電荷を電圧に変換した後に増幅して撮像信号として出力する。
【００５０】
Ａ／Ｄ変換器３は、増幅器２から出力される撮像信号のアナログ値をデジタル値に変換する。
【００５１】
温度算出部４は、カウンタ５と、演算部６とを有しており、Ａ／Ｄ変換器３から出力された撮像信号のデジタルデータ（デジタル値）を利用して撮像素子アレイ１の素子温度を求める。
【００５２】
カウンタ５は、Ａ／Ｄ変換器３から出力された撮像信号のデジタルデータのうち、ある一定レベル以上（閾値以上）のデジタル値を持つデータ数、つまり白点画素数（白点数）をカウントする。
【００５３】
演算部６は、カウンタ５がカウントしたカウント値に基づいて、詳細に後述する白点画素数の温度依存性を用いて撮像素子アレイ１の温度を求める。
【００５４】
上記構成の撮像装置１０は、人物や風景などの被写体を撮像する際、以下のように動作する。
【００５５】
まず、図示していない光学系によって被写体像が撮像素子アレイ１に結像される。撮像素子アレイ１の複数の各受光部（撮像素子）では、各受光部に入射する光をそれぞれ光電変換することにより、各受光部に入射する光の量に応じた電荷量の信号電荷を各画素部に蓄積する。このように、撮像素子アレイ１は、各画素部毎の光電変換により画像情報を取得する。
【００５６】
次に、撮像素子アレイ１の各受光部に蓄積された信号電荷は、各垂直電荷転送路に読み出されて、各垂直電荷転送路を垂直方向に電荷転送されて水平電荷転送路に読み出される。さらに、信号電荷は、水平電荷転送路の先端まで電荷転送される。
その後、電荷転送された信号電荷は増幅器２により増幅されて撮像信号が出力され、撮像信号はＡ／Ｄ変換器３によってデジタル信号に変換される。
【００５７】
さらに、Ａ／Ｄ変換器３で変換された撮像信号のデジタル信号は、所定の信号処理を行った後に、デジタル画像データとして外部に出力される。このデジタル画像データは、ディスプレイに表示されたり、ハードディスク、光ディスクおよびその他の半導体記憶装置などのコンピュータ読み取り可能な可読記録媒体に記憶されたりする。
【００５８】
一方、本実施形態１の撮像装置１０は、撮像素子アレイ１の素子温度を測定する際、以下のように動作する。
【００５９】
まず、撮像装置１０は、撮像素子アレイ１の素子温度を測定する際に、人物や風景などの被写体を撮像するときとは異なり、図示しないシャッタを閉じた状態（撮像素子を遮光した状態）で撮像素子アレイ１の各撮像素子に暗電流（熱雑音）に起因する信号電荷を蓄積する。つまり、シャッタを閉じた状態（撮像素子を遮光した状態）で撮像する。
【００６０】
このように、撮像装置１０が、シャッタを閉じた状態（撮像素子を遮光した状態）で撮像することにより、暗電流に起因する信号電荷が撮像素子アレイ１の各受光部（撮像素子）に蓄積される。これにより、撮像素子アレイ１は、暗電流に起因する画素毎の画像情報を取得する。
【００６１】
次に、撮像素子アレイ１の各撮像素子に蓄積された暗電流に起因する信号電荷は、垂直電荷転送路に読み出されて、垂直電荷転送路を順次電荷転送された後に水平電荷転送路に読み出される。さらに、暗電流に起因する信号電荷は、水平電荷転送路の先端まで電荷転送されると、増幅器２により増幅された後に、Ａ／Ｄ変換器３によりデジタル信号に変換される。
【００６２】
Ａ／Ｄ変換器３で変換された撮像信号のデジタル信号は、温度算出部４にデジタルデータとして出力される。温度算出部４では、Ａ／Ｄ変換器３から出力されてくる撮像信号のデジタルデータを用いて、撮像素子アレイ１の素子温度を求める。温度算出部４は、求めた温度データを外部に出力する。
【００６３】
ここで、白点画素数の温度依存性を用いて、撮像素子アレイ１の素子温度を求める原理について説明する。
【００６４】
図２（ａ）は、図示しないシャッタを閉じた状態（撮像素子を遮光した状態）で撮像した暗時の表示画面図である。
【００６５】
図２（ａ）では、撮像素子の暗電流に起因して白点（白傷）が表示画面上に現れていることが分かる。
【００６６】
図２（ｂ）は、図２（ａ）の暗時の表示画面に対応したデジタルデータの画素毎の画素出力レベルを示す図である。
図２（ｂ）では、横軸は表示画面の位置を示し、縦軸は、その表示画面の位置に対する画素出力レベルを示している。この画素出力レベルがある値以上（閾値以上）のものが白点（白傷）として認定される。
【００６７】
図２（ｃ）は、図２（ａ）の暗時のデジタルデータの画素出力レベルのヒストグラムを示す図である。
図２（ｃ）では、横軸は画素データの画素出力レベルであり、縦軸は、画素データの画素出力レベルに対する画素の個数である。
【００６８】
温度算出部４のカウンタ５は、暗時撮影時にＡ／Ｄ変換器３から出力されたデジタルデータにおいて、指定されたデジタル値以上のデジタル値を有する画素の個数を白点（白傷）としてカウントする。
【００６９】
例えば、カウンタ５は、画素データの出力レベルが８ビットで閾値が例えば「６４」以上の画素データを白点（白傷）としてカウントする。
【００７０】
演算部６は、カウンタ５によりカウントされたカウント値に基づいて温度に換算する数式を演算するか、または温度に換算する温度換算テーブルを参照することにより、撮像素子アレイ１の内部の素子温度を求めて温度データを出力する。
【００７１】
図３（ａ）は、暗時のデジタルデータの各温度をパラメータとした画素出力レベルのヒストグラムを示す図であり、横軸は画素出力レベルであり、縦軸はこれに対応する画素数である。
【００７２】
図３（ａ）には、４つの異なった温度をパラメータとして画像出力レベルのヒストグラムが示されている。最も左側に存在するヒストグラムは、撮像素子アレイ１の温度が摂氏３０度のときのヒストグラムであり、次に左側にあるヒストグラムは、撮像素子アレイ１の温度が摂氏４０度であるときのヒストグラムであり、そのさらに左側に存あるヒストグラムは、撮像素子アレイ１の温度が摂氏５０度であるときのヒストグラムであり、最も右側にあるヒストグラムは、撮像素子アレイ１の温度が摂氏６０度のときのヒストグラムである。
【００７３】
図３（ａ）から明らかなように、カウンタ５がカウントする画素出力レベルが８ビットで閾値「６４」以上の画素の個数、即ち白点（白傷）の画素の個数は、撮像素子アレイ１の温度が増加するにつれて増加している。
【００７４】
演算部６は、白点（白傷）の個数のこのような温度依存性を利用して撮像素子アレイ１の温度を求める。
【００７５】
図３（ｂ）は、白点（白傷）の個数の温度依存性を示す図である。図３（ｂ）において、横軸は温度であり、縦軸は温度に対する白点（白傷）の画素数である。
【００７６】
演算部６は、図３（ｂ）に示すグラフを温度変換テーブルとして予めＲＯＭなどのメモリに記憶しておき、カウンタ５がカウントしたカウント値、即ち白点（白傷）の個数から、メモリに保持した温度変換テーブルを参照することにより、撮像素子アレイ１の素子温度を求めることができる。
【００７７】
また、図３（ｂ）に示すグラフは、Ｐ＝Ｐ０×ｅａ（Ｔ−Ｔ０）と近似できる。ただし、Ｐは、絶対温度Ｔにおいて、カウンタ５がカウントしたカウント値であり、Ｐ０は、絶対温度Ｔ０において、カウンタ５がカウントしたカウント値である。
【００７８】
したがって、演算部６は、図３（ｂ）のグラフを温度変換テーブルとしてメモリに記憶する代わりに、上記の近似式を用いて撮像素子アレイ１の素子温度を算出することもできる。
【００７９】
このように、本実施形態１の撮像装置１０は、従来の撮像装置にカウンタ１０を追加するだけで、撮像素子アレイ１の内部の温度を算出することができるようになる。したがって、本実施形態１の撮像装置１０によれば、簡易なシステム（カウンタ）で、撮像装置１０の撮像素子アレイ１内部の素子温度を測定することができる。
【００８０】
ここで、温度算出部４が撮像素子アレイ１の素子温度を算出する方法についてさらに詳細に説明する。
【００８１】
一般に、絶対温度Ｔにおける受光部であるフォトダイオード（撮像素子アレイ１における撮像素子）の暗電流Ｉは、以下の式（１）のように表すことができる。ここで、Ｉ０は絶対温度Ｔ０におけるフォトダイオードの暗電流、ｑは電荷素量、Ｎは活性化エネルギー、ｋはボルツマン定数を示している。
【００８２】
【数１】
2010141738.tif 000003
ある一定期間にフォトダイオード（撮像素子アレイ１における撮像素子）に蓄積される信号電荷Ｑは、式（１）で表される暗電流Ｉをある一定期間に渡って積分すればよい。したがって、ある一定期間にフォトダイオード（撮像素子アレイ１における撮像素子）に蓄積される信号電荷Ｑは以下のように表される。ただし、式（２）において、ある一定期間で絶対温度Ｔは一定であると仮定している。
【００８３】
【数２】
2010141738.tif 000004
増幅器２が出力する、暗電圧起因のノイズである暗電圧起因の出力値Ｖｏｕｔは式（２）を使って、以下のように表される。ここで、Ｃはフォトダイオードの容量、Ｇは増幅器２によるゲインである。
【００８４】
【数３】
2010141738.tif 000005
Ａ／Ｄ変換後のデジタル出力値は、式（３）を使って、以下のように表される。ここで、ＤＯＵＴはＡ／Ｄ変換後のデジタル出力値、ΔＶは１ビットの電圧、ＤＯＢは黒レベルのデジタル出力値であり、Ｄはデジタル出力値の信号成分、即ちデジタル出力値から黒レベルを差し引いたデジタル値である。
【００８５】
【数４】
2010141738.tif 000006
【００８６】
【数５】
2010141738.tif 000007
Ｇ、ｔ、ΔＶ、Ｃは、温度には依存しない定数であるため、式（１）および式（５）より、デジタル出力値の信号成分Ｄは以下のように表せる。ここで、Ｄ０は、絶対温度Ｔ０時のデジタル出力値の信号成分である。
【００８７】
【数６】
2010141738.tif 000008
図４は、暗時画像撮影時のヒストグラムのグラフを示す図であり、横軸は画素の出力レベルであり、縦軸は頻度（画素数）である。このグラフをモデルフィッティングすると、以下のように表すことができる。ここで、ｐは撮像された画像１枚のうち、あるデジタル出力値の信号成分Ｄを持つ画素の個数、Ａおよびａは、プロセス固有の定数である。
【００８８】
【数７】
2010141738.tif 000009
ｐ０を、撮像された画像１枚のうち、絶対温度がＴ０であるときのデジタル出力値の信号成分Ｄ０を持つ画素の個数とすると、式（６）および式（７）より、絶対温度がＴであるときの、あるデジタル出力値の信号成分Ｄを持つ画素の個数ｐは、以下のように表せる。
【００８９】
【数８】
2010141738.tif 000010
Ａ／Ｄ変換器３から出力された画像デジタルデータのうち、ある一定レベル以上のデジタル値を持つデータ数、つまり白点画素数を、カウンタ５がカウントする。
【００９０】
ある一定レベルをｃとすると、絶対温度がＴであるときの、ある一定レベル以上のデジタル値を持つデータ数、つまり白点画素数Ｐは、次の式（９）のように表すことができ、式（９）および式（８）より、絶対温度がＴ０であるときの白点画素数Ｐ０は、式（１０）のように表すことができる。
【００９１】
【数９】
2010141738.tif 000011
【００９２】
【数１０】
2010141738.tif 000012
上記のある一定レベルｃ、即ち、カウンタ５によりカウントされる閾値として指定されるデジタル値は、出荷テスト結果などによって得られるデータに基づいて動的に決定する。
【００９３】
式（９）および式（１０）より、絶対温度がＴであるときの白点画素数Ｐは、式（１１）のように表すことができる。
【００９４】
【数１１】
2010141738.tif 000013
式（１１）において、Ｐは絶対温度Ｔ時のカウント数、Ｐ０は絶対温度Ｔ０時のカウント数であり、ａは製造プロセス固有の定数である。絶対温度Ｔ０、および絶対温度Ｔ０時のカウント数Ｐ０は、例えば出荷時のテストなどで得ることが可能である。
【００９５】
式（１１）を絶対温度Ｔについて解くと、式（１２）が得られる。
【００９６】
【数１２】
2010141738.tif 000014
式（１２）において、ｌｎは自然対数である。
【００９７】
カウンタ５がカウントした白点画素数をＰとして、演算部６は、式（１２）から絶対温度Ｔを求めることができる。よって、カウンタ５がカウントした白点画素数を式（１２）などの変換式に用いることにより、温度測定を行うことが可能となる。
【００９８】
また、撮像素子アレイ１の温度が高くなるほど、暗電流が増加するので、白点画素（白傷画素）が増加する。したがって、温度算出部４は、温度が高くなるほど精度よく温度を算出することができる。
【００９９】
逆に、撮像素子アレイ１の温度が低くなるほど、暗電流が減少するので、白点画素（白傷画素）が減少する。よって、温度算出部４が算出する温度の精度は、撮像素子アレイ１の温度が減少するにつれて減少する。この場合には、Ａ／Ｄ変換器３から出力される撮像信号のデジタルデータの画質が向上するので、後述する実施形態２〜５のように温度データまたは白点画素数に基づいて撮像信号のデジタルデータの補正や、撮像部の駆動、冷却などを行う必要性が低くなる。
【０１００】
したがって、本実施形態１の撮像装置１０は、撮像素子アレイ１が高温になり温度データが必要となるときに、より正確に温度を算出することができる。
【０１０１】
また、本実施形態１の撮像装置１０は、撮像素子アレイ１の各受光部（撮像素子）の暗電流に起因する白点レベルには温度依存性があることを利用して撮像素子アレイ１の素子温度を算出する。
【０１０２】
つまり、上記特許文献１のように温度センサを用いた場合には撮像素子アレイ１自体の素子温度を測定することは不可能であったが、本実施形態１によれば、暗時画像撮影時の画像において、あるレベル以上の白点画素数をカウンタ５がカウントすることにより、撮像素子アレイ１の内部の素子温度を測定することが可能になり、しかも別途、温度センサを設ける必要がない。
【０１０３】
さらに、本実施形態１においては、温度測定手法として白点画素数（白傷画素数）をカウントするため、Ａ／Ｄ変換後のデジタルデータ（画像デジタルデータ）を使用することができ、上記特許文献２のように画素アドレスやエリア指定データなどのデータを持つ必要もなく、これらのデータを格納するメモリなども準備する必要がない。
【０１０４】
したがって、本実施形態１の撮像装置１０によれば、簡易なシステム（カウンタ）で、撮像装置１０の撮像素子アレイ１内部の温度を測定することができる。
【０１０５】
要するに、本実施形態１の撮像装置１０は、撮像素子アレイ１が光電変換により画像情報を取得し、増幅器２が、撮像素子２からの信号電荷を増幅して読み出し、Ａ／Ｄ変換器３が、増幅器２からの撮像信号出力をデジタル変換し、温度算出部４がＡ／Ｄ変換器３からの出力データを元に温度を求めることにより、簡易なシステム（カウンタ）で、撮像装置１０の撮像素子アレイ１内部の素子温度を容易かつ正確に測定することができる。
【０１０６】
また、本発明の温度測定方法は、前述したが、得られたカウント数を変換式に用いることにより、温度測定することが可能となる。演算部６では、上記温度変換式を使用して温度を算出する。演算部６において、上記温度変換式を元にした温度変換テーブルを使用してもよい。
【０１０７】
前記したようにカウントされる基準値の閾値として指定されるデジタル値は、出荷テスト結果などによって得られるデータに基づいて動的に決定してもよい。
【０１０８】
要するに、閾値は、ある特定温度における撮像素子のデジタル出力値と各デジタル出力値を持つ撮像素子数とのいずれかまたは双方に基づいて決定される。つまり、出荷テスト時に得られる画像のデジタルデータ（撮像素子のデジタル出力値）および／または白点画素数（白傷画素数）を元に設定することができる。
【０１０９】
また、前記したようにカウントされる閾値として指定されるデジタル値は、定数として決定しておいてもよい。
【０１１０】
なお、演算部６は、カウンタ５がカウントした白点画素数をＰとして、式（１１）から絶対温度Ｔを求めるものとして説明したが、これに限らない。以下に説明するように図５を利用して温度計算してもよい。
【０１１１】
図５は、白点画素数の温度依存性を示す図である。図５において、横軸は絶対温度の逆数であり、縦軸は指定レベル以上（閾値以上）の白点画素数（白点数）を示している。演算部６がこのグラフを温度変換テーブルとして保持し、この温度変換テーブルを使用して、白傷画素数（白点画素数）から温度データに換算してもよい。
【０１１２】
さらに、本実施形態１の撮像モジュールを構成する撮像素子アレイは、ＣＣＤイメージセンサとして説明したが、これに限らない。本実施形態１の撮像装置１０を構成する撮像素子アレイ１は、ＭＯＳ型イメージセンサであってもよい。要するに本実施形態１の撮像装置１０は、ＣＣＤイメージセンサやＭＯＳ型イメージセンサなどの半導体撮像素子であればよい。
【０１１３】
さらに、本実施形態１では、上記のある一定レベルｃ、即ちカウンタ５によりカウントされる閾値として指定されるデジタル値は、出荷テスト結果などによって得られるデータに基づいて動的に決定するとして説明したが、これに限らない。上記のある一定レベルｃ、即ちカウンタ５によりカウントされる閾値として指定されるデジタル値は、定数として予め決定しておいてもよい。
【０１１４】
以上により、本実施形態１によれば、光電変換により画像情報を取得可能な撮像素子アレイ１と、撮像素子アレイ１からの信号電荷を増幅して読み出す増幅器２と、増幅器２からの出力をデジタル変換するＡ／Ｄ変換器３と、Ａ／Ｄ変換器３からのデジタルデータから、白点画素数の温度依存性を用いて温度を検出する温度算出部４とを備えた撮像モジュール１０において、得られる暗時撮像信号のデジタルデータから、指定したデジタル値以上の画素数をカウントし、カウント値に基づいて温度を測定するため、撮像素子とは別に温度センサシステムを設置する必要がなく、また、温度の計算のために撮像素子アレイのアドレス指定やエリア指定をする必要もなく、簡易な手段で撮像素子の温度を測定することができる。
【０１１５】
（実施形態２）
上記実施形態１では、白点画素数をカウントし、カウントした白点画素数から撮像素子アレイ１の温度を算出する場合について説明したが、本実施形態２では、上記実施形態１の場合と同様に、算出した撮像素子アレイ１の温度または白点画素数に基づいて撮像した画像の補正処理を行う場合について説明する。なお、本実施形態２の撮像装置の構成部のうち上記実施形態１の撮像装置１０の構成部と同一の作用効果を奏する部分については本実施形態１と同一符号を付してその詳細な説明を省略する。
【０１１６】
図６は、本発明に係る撮像装置の実施形態２の要部構成例を示すブロック図である。
【０１１７】
図６において、本実施形態２の撮像装置１０Ａは、上記実施形態１の撮像装置１０の場合と同様の撮像素子１と、増幅器２と、Ａ／Ｄ変換器３と、温度算出部４とに加えて、画像の補正処理を行うＤＳＰ（Ｄｉｇｉｔａｌ  Ｓｉｇｎａｌ  Ｐｒｏｃｅｓｓｏｒ）７を備えている。
【０１１８】
ＤＳＰ７は、温度算出部４で算出された温度データ（または白点画素数）に基づいて、Ａ／Ｄ変換器３から出力された撮像データの補正（白傷補正）を行う。この白傷補正は、白点を黒点に補正したり、白点の周囲の画素の平均値に白点の輝度値を補正したりする。
【０１１９】
なお、本実施形態２のＤＳＰ７は画像処理装置の一例である。
【０１２０】
ここで、本実施形態２の撮像装置１０Ａの動作について上記実施形態１の場合との相違点を中心にして説明する。
【０１２１】
本実施形態２の撮像装置１０Ａは、上記実施形態１の撮像装置１０の場合と同様に、Ａ／Ｄ変換器３は画像データを出力し、温度算出部４はこれを受けて温度データを出力する。このとき、ＤＳＰ７は、所定の温度以上の温度であると判断した場合、即ち、高温と判断された場合には、白傷と判断する閾値を上げる。
【０１２２】
このように、ＤＳＰ７は、温度算出部４が算出した温度データに応じた画像補正処理を行う。
【０１２３】
なお、本実施形態２では、ＤＳＰ７が、所定の温度以上の温度であると判断した場合、即ち、高温と判断された場合、白傷と判断する閾値を上げる場合について説明したが、これに限らず、ＤＳＰ７は、温度算出部４が算出した温度データに応じて、画像処理（白傷補正）の係数を可変してもよい。
【０１２４】
さらに、本実施形態２のＤＳＰ７は、温度算出部４からの温度データを受け取る場合について説明したが、これに限らない。
【０１２５】
ＤＳＰ７が受け取るデータは、カウンタ５で出力されたカウンタ値そのものを直に受け取ってもよい。この場合、ＤＳＰ７は、受け取ったカウンタ値を利用して、上記の画像処理を行う。
【０１２６】
このように、本実施形態２の撮像装置１０Ａは、ＤＳＰ７が、温度算出部４で求めた温度データ（または白点画素数）に基づいてＡ／Ｄ変換器３から出力された撮像画像の補正を行うので、撮像素子アレイ１の温度に応じて最適な撮像画像の補正を行うことができる。
【０１２７】
なお、温度算出部４は、白点画素数または温度獲得部であり、暗時撮像時にデジタルデータのうちの所定の閾値以上の画素出力レベルを前記白点画素数としてカウントするカウンタ５と、カウンタ５からのカウント値を白点画素数の温度依存性から温度に換算する演算部６とを有する場合の他に、暗時撮像時にデジタルデータのうちの所定の閾値以上の画素出力レベルを白点画素数としてカウントするカウンタ５だけを有する場合もあり得る。
【０１２８】
（実施形態３）
上記実施形態１では、白点画素数をカウントし、カウントした白点画素数から撮像素子アレイ１の温度を求める場合について説明したが、本実施形態３では、上記実施形態１と同様にして求めた撮像素子アレイ１の温度データ（または白点画素数）に基づいて撮像素子部（撮像素子アレイ１、増幅器２およびＡ／Ｄ変換器３の少なくともいずれか）の駆動制御を行う場合について説明する。なお、本実施形態３の撮像装置のうち上記実施形態１の撮像装置と同一の作用効果を奏する部分については本実施形態１と同一符号を付してその詳細な説明を省略する。
【０１２９】
図７は、本発明に係る撮像装置の実施形態３の要部構成例を示すブロック図である。
【０１３０】
図７に示すように、本実施形態３の撮像装置１０Ｂは、上記実施形態１の撮像措置１０と同様の撮像素子１と、増幅器２と、Ａ／Ｄ変換器３と、温度算出部４との他に、撮像素子部（撮像素子アレイ１、増幅器２およびＡ／Ｄ変換器３）を駆動制御する駆動制御回路８を備えている。
【０１３１】
駆動制御回路８は、温度算出部４で算出された温度データ（または白点画素数）に基づいて撮像素子アレイ１、増幅器２およびＡ／Ｄ変換器３を駆動制御する。
【０１３２】
次に、このような本実施形態３の動作を本実施形態１の場合との相違点を中心に説明する。
【０１３３】
本実施形態３の撮像装置１０Ｂは、上記実施形態１の撮像装置１０の場合と同様に、Ａ／Ｄ変換器３から撮像信号のデジタルデータを出力し、温度算出部４は、デジタルデータを受けて温度データを出力する。
【０１３４】
さらに、駆動制御回路８は、温度算出部４からの温度データを元に、撮像素子部（撮像素子アレイ１、増幅器２およびＡ／Ｄ変換器３）の駆動制御を行う。
【０１３５】
例えば、駆動制御回路８は、所定の温度以上の温度であると判断された場合、即ち高温と判断された場合には、増幅器２のゲインを下げる。
【０１３６】
このように、駆動制御回路８は、温度算出部４が求めた温度に応じた駆動制御を行う。
【０１３７】
したがって、人物や風景などの被写体が撮影された画像データの白傷が撮像素子アレイ１が高温である場合にも目立たなくなる。
【０１３８】
なお、本実施形態３では、駆動制御回路８が、所定の温度以上の温度であると判断した場合、即ち高温と判断した場合には、増幅器２のゲインを下げる場合について説明したが、これに限らず、単に下げるのではなく、駆動制御回路８は、温度算出部４が求めた温度が高くなるにつれて、増幅器２のゲインを連続的または段階的に下げてもよい。
【０１３９】
また、駆動制御回路８が、所定の温度以上の温度であると判断した場合、即ち高温と判断した場合には、撮像素子アレイ１における電荷蓄積時間であるシャッタ蓄積時間を短くしてもよい。
【０１４０】
また、駆動制御回路８が、温度算出部４が求めた温度が高くなるにつれて、撮像素子アレイ１の電荷蓄積時間であるシャッタ蓄積時間を連続的または段階的に短くしてもよい。
【０１４１】
なお、駆動制御回路８が、所定の温度以上の温度であると判断した場合、即ち高温と判断した場合には、撮像素子部（撮像素子アレイ１、増幅器２、およびＡ／Ｄ変換器３）の全体を、高温であると判断されていない場合に比べてフレームレートを下げるなどして、より低消費電力で駆動してもよい。このように、駆動制御回路８は、高温であると判断した場合には、撮像装置１０Ｂの温度上昇を低減する制御を行っても良い。
【０１４２】
駆動制御回路８は、撮像素子部（撮像素子アレイ１、増幅器２、およびＡ／Ｄ変換器３）の全体に供給される動作クロックの発振周波数を下げることにより、フレームレートを下げる制御を行うことができる。
【０１４３】
このように、駆動制御回路８は、温度算出部４が算出した温度が高温であると判断した場合には、より低消費電力で撮像素子部（撮像素子アレイ１、増幅器２、およびＡ／Ｄ変換器３）の全体の駆動の制御を行うので、さらなる温度上昇を低減することができる。
【０１４４】
また、駆動制御回路８が、所定の温度以上の温度であると判断した場合、即ち高温と判断した場合には、増幅器２に供給する駆動電流などの駆動電流を低減することにより、より低消費電力で駆動してもよい。
【０１４５】
また、駆動制御回路８が、温度算出部４が算出した温度が高くなるにつれて、フレームレートを連続的または段階的に下げるなどして、連続的または段階的に低消費電力になるように撮像素子部(撮像素子アレイ１、増幅器２、およびＡ／Ｄ変換器３)の全体を駆動してもよい。
【０１４６】
さらに、駆動制御回路８が受け取るデータは、演算部６で温度データに変換させず、カウンタ５で出力されたカウンタ値そのものを受け取ってもよい。この場合、駆動制御回路８は、受け取ったカウンタ値を利用して、上記の駆動処理を行う。
【０１４７】
このように、本実施形態３の撮像モジュール１０Ｂは、駆動制御回路８が、温度算出部４で求めた温度または白点画素数に基づいて撮像素子部（撮像素子アレイ１、増幅器２、およびＡ／Ｄ変換器３の少なくともいずれか）の駆動を制御するので、撮像素子アレイ１の温度に応じて最適な撮像素子部の駆動を実現することができ、良好な撮像画像データを出力することができる。
【０１４８】
また、本実施形態３の変形例として説明したように、本実施形態３の撮像モジュール１０Ｂは、駆動制御回路８が、温度算出部４で算出された温度が高温であるまたは白点画素数が多数である場合に、撮像素子部（撮像素子増幅器２、およびＡ／Ｄ変換器３）の全体を低消費電力で駆動するので、撮像素子部のさらなる温度上昇を低減することができ、良好な画像を出力することができる。
【０１４９】
（実施形態４）
上記実施形態１では、白点画素数をカウントし、カウントした白点画素数から撮像素子アレイ１の温度を求める場合について説明したが、本実施形態４では、上記実施形態１の場合と同様に求めた撮像素子アレイ１の温度または白点画素数に基づいて回路全体の冷却動作を行う場合について説明する。なお、本実施形態５の撮像装置の各構成部のうち上記実施形態１の撮像装置と同一の作用効果を奏する部分については同一符号を付してその詳細な説明を省略する。
【０１５０】
図８は、本発明に係る撮像装置の実施形態４の要部構成例を示すブロック図である。
【０１５１】
図８に示すように、本実施形態４の撮像装置１０Ｃは、本実施形態１の撮像装置１０と同様の撮像素子１と、増幅器２と、Ａ／Ｄ変換器３と、温度算出部４との他に、回路全体を冷却するための送風機などの冷却装置９を備えている。
【０１５２】
冷却装置９は、温度算出部４が算出した温度データを元に、撮像装置１０Ｃの回路全体の冷却動作を行う。
【０１５３】
次に、本実施形態４の撮像装置１０Ｃの動作を本実施形態１との相違点を中心にして説明する。
【０１５４】
本実施形態１の場合と同様に、Ａ／Ｄ変換器３は撮像信号のデジタルデータを出力し、温度算出部４はこれを受けて温度データを出力する。
【０１５５】
冷却装置９は、この温度データを元に、撮像装置１０Ｃの回路全体の冷却動作を行う。即ち、温度データが示す温度が所定の温度より高い場合、冷却装置９は、ファンを回転させて回路全体に送風する。
【０１５６】
このように、本実施形態４によれば、温度データが示す温度が所定の温度より高い場合、冷却装置９が、ファンを回転始動させて回路全体に送風するので、さらなる温度上昇を低減することができ、良好な撮像画像を出力することができる。
【０１５７】
なお、冷却装置９が受け取るデータは、演算部６で温度データに変換させず、カウンタ５で出力されたカウンタ値そのものを受け取ってもよい。この場合、冷却装置９は、受け取ったカウンタ値を利用して、上記の冷却動作を行う。
【０１５８】
さらに、本実施形態４では、冷却装置９が送風機である場合について説明したが、水冷式の冷却装置であってもよいし、ヒートポンプ方式により冷却する装置であってもよい。要するに、本実施形態４の冷却装置９は、撮像装置１０Ｃの回路全体を冷却できる装置でありさえすればよい。
【０１５９】
本実施形態１〜４の撮像装置は、携帯電話装置、デジタルスチルカメラ、ムービーカメラなどの各種電子機器に組み込んで利用することができる。上記実施形態１〜４のいずれかの撮像装置から得られる温度データを、外部機器の温度データとして使用することができる。
（実施形態５）
図９は、本発明の実施形態５として、本発明の実施形態１〜４の撮像装置１０、１０Ａ、１０Ｂおよび１０Ｃのいずれかを撮像部に用いた電子情報機器の概略構成例を示すブロック図である。
【０１６０】
図９において、本実施形態５の電子情報機器９０は、上記実施形態１〜４の撮像装置１０、１０Ａ、１０Ｂおよび１０Ｃのいずれかからの撮像信号を各種信号処理したカラー画像信号を記録用に所定の信号処理した後にデータ記録可能とする記録メディアなどのメモリ部９２と、上記実施形態１〜４の撮像装置１０、１０Ａ、１０Ｂおよび１０Ｃのいずれかからの撮像信号を各種信号処理したカラー画像信号を表示用に所定の信号処理した後に液晶表示画面などの表示画面上に表示可能とする液晶表示装置などの表示手段９３と、上記実施形態１〜４の撮像装置１０、１０Ａ、１０Ｂおよび１０Ｃのいずれかからの撮像信号を各種信号処理したカラー画像信号を通信用に所定の信号処理をした後に通信処理可能とする送受信装置などの通信手段９４と、上記実施形態１〜４の撮像装置１０、１０Ａ、１０Ｂおよび１０Ｃのいずれかからの撮像信号を各種信号処理したカラー画像信号を印刷用に所定の印刷信号処理をした後に印刷処理可能とするプリンタなどの画像出力手段９５とを有している。なお、この電子情報機器９０として、これに限らず、メモリ部９２と、表示手段９３と、通信手段９４と、プリンタなどの画像出力手段９５とのうちの少なくともいずれかを有していてもよい。上記実施形態１〜４の撮像装置１０、１０Ａ、１０Ｂおよび１０Ｃのいずれかからの撮像信号から得られる温度データを、メモリ部９２、表示手段９３、通信手段９４および画像出力手段９５のうちの少なくともいずれかの温度データとして使用して各手段の性能を良好にすることができる。
【０１６１】
この電子情報機器９０としては、前述したように例えばデジタルビデオカメラ、デジタルスチルカメラなどのデジタルカメラや、監視カメラ、ドアホンカメラ、車載用後方監視カメラなどの車載用カメラおよびテレビジョン電話用カメラなどの画像入力カメラ、スキャナ装置、ファクシミリ装置、カメラ付き携帯電話装置および携帯端末装置（ＰＤＡ）などの画像入力デバイスを有した電子機器が考えられる。
【０１６２】
したがって、本実施形態２によれば、この固体撮像装置９１からのカラー画像信号に基づいて、これを表示画面上に良好に表示したり、これを紙面にて画像出力装置９５により良好にプリントアウト（印刷）したり、これを通信データとして有線または無線にて良好に通信したり、これをメモリ部９２に所定のデータ圧縮処理を行って良好に記憶したり、各種データ処理を良好に行うことができる。
【０１６３】
なお、上記実施形態１〜４では、特に、説明しなかったが、ハードウェア構成だけではなく、ソフトウェア構成としてもよい。本発明の温度測定方法は、撮像素子アレイにより入射光を光電変換して信号電荷を生成する撮像ステップと、増幅部が該撮像素子アレイからの信号電荷を増幅して撮像信号を出力する増幅ステップと、Ａ／Ｄ変換部が、該増幅部からの撮像信号をデジタル変換してデジタルデータを出力するＡ／Ｄ変換ステップと、白点画素数または温度獲得部が該Ａ／Ｄ変換器からの該デジタルデータを用いて温度または白点画素数を求める白点画素数または温度獲得ステップとを有している。この白点画素数または温度獲得ステップは、記憶装置のＲＯＭ内の制御プログラムおよびそのデータに基づいて、制御手段としての白点画素数または温度獲得部（ＣＰＵ；中央演算処理装置）がＡ／Ｄ変換器３からのデジタルデータを用いて白点画素数または、白点画素数の温度依存性から温度を求めるようにしてもよい。
【０１６４】
ＲＯＭとしては、ハードディスク、光ディスク、磁気ディスクおよびＩＣメモリなどの可読記録媒体（記憶手段）で構成されている。この制御プログラムおよびこれに用いる各種データは、携帯自在な光ディスク、磁気ディスクおよびＩＣメモリなどからＲＯＭにダウンロードされてもよいし、コンピュータのハードディスクからＲＯＭにダウンロードされてもよいし、無線または有線、インターネットなどを介してＲＯＭにダウンロードされてもよい。本発明の温度測定方法の白点画素数または温度獲得ステップをコンピュータに実行させるための処理手順が記述された制御プログラムをコンピュータ読み取り可能な可読記憶媒体に格納して、コンピュータ（ＣＰＵ）により白点画素数または温度獲得処理を行うものである。
【０１６５】
以上のように、本発明の好ましい実施形態１〜５を用いて本発明を例示してきたが、本発明は、この実施形態１〜５に限定して解釈されるべきものではない。本発明は、特許請求の範囲によってのみその範囲が解釈されるべきであることが理解される。当業者は、本発明の具体的な好ましい実施形態１〜５の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１６６】
本発明は、被写体からの画像光を光電変換して撮像する半導体素子で構成されたＣＣＤイメージセンサやＭＯＳ型イメージセンサなどの撮像装置、これを用いて素子温度を測定するための温度測定方法、この撮像装置を画像入力デバイスとして撮像部に用いた例えばデジタルビデオカメラおよびデジタルスチルカメラなどのデジタルカメラや、監視カメラなどの画像入力カメラ、スキャナ装置、ファクシミリ装置、テレビジョン電話装置、カメラ付き携帯電話装置などの電子情報機器、この温度測定方法の各ステップをコンピュータに実行させるための制御プログラムおよびこの制御プログラムを記録したコンピュータ読み取り可能な可読記録媒体の分野において、白点画素数または温度獲得部が該Ａ／Ｄ変換部からの該デジタルデータを利用して白点画素数または、白点画素数に依存した温度を求めるため、撮像素子とは別に温度センサシステムを設置する必要がなく、また、温度の計算のために撮像素子アレイのアドレス指定やエリア指定をする必要もなく、簡易な手段で撮像素子の温度を測定することができる。
【図面の簡単な説明】
【０１６７】
【図１】本発明に係る撮像装置の実施形態１の要部構成例を示すブロック図である。
【図２】（ａ）は、シャッタを閉じた状態で撮像した暗時の表示画面図、（ｂ）は、（ａ）の暗時の表示画面に対応したデジタルデータの画素毎の画素出力レベルを示す図、（ｃ）は、（ａ）の暗時のデジタルデータの画素出力レベルのヒストグラムを示す図である。
【図３】（ａ）は、暗時のデジタルデータの各温度をパラメータとした画素出力レベルのヒストグラムを示す図、（ｂ）は、白点（白傷）の個数の温度依存性を示す図である。
【図４】暗時画像撮影時のヒストグラムのグラフを示す図である。
【図５】白点画素数の温度依存性を示す図である。
【図６】本発明に係る撮像装置の実施形態２の要部構成例を示すブロック図である。
【図７】本発明に係る撮像装置の実施形態３の要部構成例を示すブロック図である。
【図８】本発明に係る撮像装置の実施形態４の要部構成例を示すブロック図である。
【図９】本発明の実施形態５として、本発明の実施形態１〜４の撮像装置のいずれかを撮像部に用いた電子情報機器の概略構成例を示すブロック図である。
【符号の説明】
【０１６８】
１  撮像素子アレイ
２  増幅器（増幅部）
３  Ａ／Ｄ変換器（Ａ／Ｄ変換部）
４  温度算出部（白点画素数または温度獲得部）
５  カウンタ（カウンタ部）
６  演算部
７  ＤＳＰ（画像処理装置）
８  駆動制御回路（駆動制御部）
９  冷却装置（冷却部）
１０、１０Ａ、１０Ｂ、１０Ｃ  撮像装置
【図１】
2010141738.tif 000015
【図２】
2010141738.tif 000016
【図４】
2010141738.tif 000017
【図５】
2010141738.tif 000018
【図６】
2010141738.tif 000019
【図７】
2010141738.tif 000020
【図８】
2010141738.tif 000021
【図９】
2010141738.tif 000022
【図３】
2010141738.tif 000023